(57)【要約】【課題】  全周にわたって良好なセンシングの感度が得られる静電容量型近接センサを有する液晶表示装置とすること。【解決手段】  液晶表示装置は、液晶表示パネル１と、その液晶表示パネル１の表示面を覆う透明部材２と、液晶表示パネル１の反表示面側に設置されたバックライト４と、液晶表示パネル１を嵌め込むための開口部３ａを有するフレーム３と、バックライト４の液晶表示パネル１と反対側の主面の側に設置された保護部材５と、を有しており、バックライト４は、表示面と反対側の主面上に接地導体板９が設けられており、平面視で接地導体板９の外側に離間してループ状に静電容量型近接センサ６が設けられている。【選択図】  図１
2015138125.tif 000002
【特許請求の範囲】
【請求項１】
液晶表示パネルと、その液晶表示パネルの表示面を覆う透明部材と、前記液晶表示パネルの反表示面側に設置されたバックライトと、前記液晶表示パネルを嵌め込むための開口部を有するフレームと、前記バックライトの前記液晶表示パネルと反対側の主面の側に設置された保護部材と、を有しており、前記バックライトは、前記表示面と反対側の主面上に接地導体板が設けられており、平面視で前記接地導体板の外側に離間してループ状に静電容量型近接センサが設けられている液晶表示装置。
【請求項２】
前記静電容量型近接センサは、前記フレームと前記保護部材によって囲まれた空間内に設けられている請求項１に記載の液晶表示装置。
【請求項３】
前記フレームは、その外側表面に導体層が形成されている請求項２に記載の液晶表示装置。
【請求項４】
前記導体層は、前記接地導体板と電気的に非接続とされている請求項３に記載の液晶表示装置。
【発明の詳細な説明】
【技術分野】
【０００１】
本発明は、人の指等が近接したときに画面表示を起動させたり、静止画表示を動画表示に切り替えるための近接センサを備えた液晶表示装置に関する。
【背景技術】
【０００２】
従来、例えば自動車のナビゲーションシステム、タブレット端末、スマートフォン等に用いられる液晶表示装置においては、液晶表示装置に備えられたタッチパネル等を操作するために人の指が表示画面に近づいたときに、画面表示を起動させたり、静止画表示を動画表示に切り替えるための近接センサを設けることがある。この近接センサとしては、静電容量型センサ、インダクタンス型センサ等があるが、静電的な導電体である人の指等の近接を、静電容量の変化として非接触で検知できる静電容量型センサが好適に用いられている。
【０００３】
従来の近接センサを備えた液晶表示装置の１例を図４に示す。図４は液晶表示装置の主要部品を分解して示す平面図であり、液晶表示装置は、液晶表示パネル２１と、その液晶表示パネル２１の表示面を覆うガラス板等から成る透明部材２２と、液晶表示パネル２１の反表示面側に設置された平板状のバックライト２４と、そのバックライト２４の液晶表示パネル２１と反対側の主面に設置されたプラスチック板等から成る保護部材２５と、を有している。そして、透明部材２２は、その視認者側の主面に液晶表示パネル２１の周囲を囲むように、銀等の金属、合金、ＩＴＯ（Indium  Tin  Oxide）等の透明導電体等の材料から成る導体線２６ｂから構成された静電容量型近接センサ２６が形成されている。図４において、２６ａは静電容量型近接センサ２６にパルス電流を供給する給電部、２３は液晶表示パネル２１を嵌め込んで位置を固定するための開口部２３ａを有する、プラスチック等から成るフレームである。
【０００４】
図５は、図４に示す主要部品を組み立てて構成された液晶表示装置の断面図である。図５に示すように、視認者側（図４で白抜き矢印で示す側）から、透明部材２２、液晶表示パネル２１、バックライト２４、アルミニウム等から成る、バックライト２４の枠体（フレーム）２８と、液晶表示パネル２１を嵌め込むための開口部２３ａを有するフレーム２３、保護部材２５が配置されている。枠体２８はフレーム２３に嵌めこみ、ねじ止め等の手段で固定され、保護部材２５はフレーム２３にねじ止め等の手段で固定される。
【０００５】
そして、図４の液晶表示装置の静電容量型近接センサ２６は、例えば以下のように動作する。まず、導体線２６ｂに人の指等の外部の導電体が近接すると、導体線２６ｂと外部の導電体との間に容量結合が発生する。このとき、導体線２６ｂに新たな電気的容量が付加されるために、給電部２６ａに接続された外部の制御ＩＣ，ＬＳＩ等へ導体線２６ｂから反射してくる電流値（電荷量）が変化する。その変化した電流値を電圧値の変化として制御ＩＣ，ＬＳＩ等によって検知することによって、外部の導電体の近接を検知することができる。
【０００６】
また、他の従来例として、隣接電極間で容量を形成するように検出基準面内に配置され、検出基準面に属するＸ軸方向に対向配置されたＸ軸内部電極対と、検出基準面に属し、Ｘ軸方向と直交するＹ軸方向に対向配置されたＹ軸内部電極対とを含んでなる複数の内部電極と、隣接電極間で容量を形成するように、複数の内部電極の外周に配置された外部電極と、を有する静電容量式近接センサ装置が提案されている（特許文献１を参照）。
【先行技術文献】
【特許文献】
【０００７】
【特許文献１】国際公開第２０１１／０８７０３４号
【発明の概要】
【発明が解決しようとする課題】
【０００８】
しかしながら、図４、図５に示す液晶表示装置においては以下のような問題点があった。図６の静電容量型近接センサ２６及びその周辺部（図５のＡ部）の拡大断面図に示すように、平面視で静電容量型近接センサ２６が接地導体板２９と重なっており、静電容量型近接センサ２６が広面積の接地導体板２９の主面と対向しているために、静電容量型近接センサ２６と接地導体板２９とが電磁的に強く結合して静電容量型近接センサ２６の電界成分が接地導体板２９を通じて外部の接地部（図示せず）に電流として流れ出ていく。その結果、静電容量型近接センサ２６のセンシングの感度が低下するという問題点があった。
【０００９】
また、特許文献１（特許文献１の図１２）に記載された静電容量式近接センサ装置は、センサ用の内部電極112a〜112dは接地される下部電極117と平面視で重なっているため、上述した問題点を有している。また、外部電極113a〜113dは断続的に設置されているため、全周にわたってセンシングの感度が良好とはならないおそれがある。
【００１０】
従って、本発明は、上記の問題点に鑑みて完成されたものであり、全周にわたって良好なセンシングの感度が得られる静電容量型近接センサを有する液晶表示装置とすることである。
【課題を解決するための手段】
【００１１】
本発明の液晶表示装置は、液晶表示パネルと、その液晶表示パネルの表示面を覆う透明部材と、前記液晶表示パネルの反表示面側に設置されたバックライトと、前記液晶表示パネルを嵌め込むための開口部を有するフレームと、前記バックライトの前記液晶表示パネルと反対側の主面の側に設置された保護部材と、を有しており、前記バックライトは、前記表示面と反対側の主面上に接地導体板が設けられており、平面視で前記接地導体板の外側に離間してループ状に静電容量型近接センサが設けられている構成である。
【００１２】
また本発明の液晶表示装置は、好ましくは、前記静電容量型近接センサは、前記フレームと前記保護部材によって囲まれた空間内に設けられている。
【００１３】
また本発明の液晶表示装置は、好ましくは、前記フレームは、その外側表面に導体層が形成されている。
【００１４】
また本発明の液晶表示装置は、好ましくは、前記導体層は、前記接地導体板と電気的に非接続とされている。
【発明の効果】
【００１５】
本発明の液晶表示装置は、液晶表示パネルと、その液晶表示パネルの表示面を覆う透明部材と、液晶表示パネルの反表示面側に設置されたバックライトと、液晶表示パネルを嵌め込むための開口部を有するフレームと、バックライトの液晶表示パネルと反対側の主面の側に設置された保護部材と、を有しており、バックライトは、表示面と反対側の主面上に接地導体板が設けられており、平面視で接地導体板の外側に離間してループ状に静電容量型近接センサが設けられていることから、平面視で静電容量型近接センサが広面積の接地導体板の主面と対向していないので、静電容量型近接センサと接地導体板との電磁的な結合が効果的に抑えられる。その結果、静電容量型近接センサの電界成分が接地導体板を通じて外部の接地部に電流として流れ出ていくことが良好に抑えられるので、静電容量型近接センサのセンシングの感度が高く維持される。
【００１６】
また本発明の液晶表示装置は、好ましくは、静電容量型近接センサは、フレームと保護部材によって囲まれた空間内に設けられていることから、静電容量型近接センサが外部からの電磁的な干渉（ＥＭＩ：Electromagnetic  Interference）を受けにくくなるので、静電容量型近接センサのセンシングの感度が変動したり、低下することを抑えることができる。
【００１７】
また本発明の液晶表示装置は、好ましくは、フレームは、その外側表面に導体層が形成されていることから、静電容量型近接センサと導体層とが電気的に容量結合し、導体層が静電容量型近接センサの一部として機能する。即ち、静電容量型近接センサが液晶表示装置の内部の接地導体板等と電磁的に結合することを抑えて、静電容量型近接センサのセンシングが外部へ向かうようにすることができる。また、静電容量型近接センサと導体層との間に容量成分が生じているため、静電容量型近接センサが外部からの電磁的な干渉（ＥＭＩ）を受けにくくなる。
【００１８】
また本発明の液晶表示装置は、好ましくは、導体層は、接地導体板と電気的に非接続とされていることから、静電容量型近接センサの電界成分が導体層及び接地導体板を通じて外部の接地部に電流として流れ出ていくことが良好に抑えられるので、静電容量型近接センサのセンシングの感度が高く維持される。
【図面の簡単な説明】
【００１９】
【図１】図１は、本発明の液晶表示装置について実施の形態の１例を示す図であり、液晶表示装置の主要部品を分解して示す平面図である。
【図２】図２は、図１に示す主要部品を組み立てて構成された液晶表示装置の断面図である。
【図３】図３は、本発明の液晶表示装置について実施の形態の他例を示す図であり、フレームの外側表面に導体層が形成されている液晶表示装置の断面図である。
【図４】図４は、従来の液晶表示装置の１例を示す図であり、液晶表示装置の主要部品を分解して示す平面図である。
【図５】図５は、図４に示す主要部品を組み立てて構成された液晶表示装置の断面図である。
【図６】図６は、図５の液晶表示装置の静電容量型近接センサ及びその周辺部の拡大断面図である。
【発明を実施するための形態】
【００２０】
以下、本発明の液晶表示装置（Liquid  Crystal  Display：ＬＣＤ）の実施の形態について、図面を参照しながら説明する。但し、以下で参照する各図は、本発明の液晶表示装置の実施の形態における構成部材のうち、本発明の液晶表示装置を説明するための主要部を示している。従って、本発明に係る液晶表示装置は、図に示されていない回路基板、配線導体、制御ＩＣ，ＬＳＩ等の周知の構成部材を備え得る。
【００２１】
図１は、本発明の液晶表示装置について実施の形態の１例を示す図であり、液晶表示装置の主要部品を分解して示す平面図である。本発明の液晶表示装置は、液晶表示パネル１と、その液晶表示パネル１の表示面を覆うガラス基板、プラスチック基板等から成る透明部材２と、液晶表示パネル１の反表示面側に設置されたＬＥＤ（Light  Emitting  Diode）素子等から成るバックライト４と、液晶表示パネル１を嵌め込むための開口部３ａを有するプラスチック等から成るフレーム３と、バックライト４の液晶表示パネル１と反対側の主面の側に設置されたプラスチック等成る保護部材５と、を有している。バックライト４は、表示面と反対側の主面上にアルミニウム等の金属、ステンレススチール等の合金から成る接地導体板９（図２に示す）が設けられており、平面視で接地導体板９の外側に離間してループ状に静電容量型近接センサ６が設けられている。ループ状の静電容量型近接センサ６は、接地導体板９の全体の周囲を囲む形状である。なお、図１において６ａは給電部である。
【００２２】
この構成により、平面視で静電容量型近接センサ６が広面積の接地導体板９の主面と対向していないので、静電容量型近接センサ６と接地導体板９との電磁的な結合が効果的に抑えられる。その結果、静電容量型近接センサ６の電界成分が接地導体板９を通じて外部の接地部に電流として流れ出ていくことが良好に抑えられるので、静電容量型近接センサ６のセンシングの感度が高く維持される。なお、図１において８はバックライト４の外周部を保護するためのアルミニウム等から成る枠体（フレーム）である。
【００２３】
静電容量型近接センサ６は、金（Ａｕ），銀（Ａｇ），銅（Ｃｕ），アルミニウム（Ａｌ），クロム（Ｃｒ），ニッケル（Ｎｉ），鉄（Ｆｅ）等の金属、これらの金属を含む合金、ＩＴＯ等の透明導電体などの材料から成る。例えば、静電容量型近接センサ６が銀から成る場合、アルコール，液状樹脂等を含むペーストに銀粒子を所定量混入させた銀ペーストを塗布し、乾燥、焼成することによって、静電容量型近接センサ６を設けることができる。また、この塗布・焼成法の他に、メッキ法、蒸着法、ＣＶＤ（Chemical  Vapor  Deposition）法、スパッタリング法等の薄膜形成法によっても設けることができる。さらには、静電容量型近接センサ６は、導体線、板金加工によって作製された金属部材であってもよい。
【００２４】
静電容量型近接センサ６は、接地導体板９の端面と略対向する部位に位置していることが好ましい。この場合、静電容量型近接センサ６が接地導体板９の狭面積の端面と略対向するので、静電容量型近接センサ６と接地導体板９の電磁的な結合がより抑えられる。接地導体板９の端面と略対向する部位は、接地導体板９の主面の延長軸を中心軸とし、その中心軸となす角度が４５度以下の範囲内（頂角が９０度以下の立体角の範囲内）であればよく、より好ましくは３０度以下の範囲内（頂角が６０度以下の立体角の範囲内）であることがよい。
【００２５】
静電容量型近接センサ６と接地導体板９の端面との間隔は５ｍｍ以上であることが好ましい。この場合、静電容量型近接センサ６と接地導体板９の電磁的な結合が有効に抑えられる。
【００２６】
また本発明の液晶表示装置は、静電容量型近接センサ６は、フレーム３と保護部材５によって囲まれた空間内に設けられていることが好ましい。この場合、静電容量型近接センサ６が外部からの電磁的な干渉（ＥＭＩ）を受けにくくなるので、静電容量型近接センサ６のセンシングの感度が変動したり、低下することを抑えることができる。
【００２７】
また本発明の液晶表示装置は、図３に示すように、フレーム３は、その外側表面にメッキ法等によって導体層１０が形成されていることが好ましい。この場合、静電容量型近接センサ６と導体層１０とが電気的に容量結合し、導体層１０が静電容量型近接センサ６の一部として機能する。即ち、静電容量型近接センサ６が液晶表示装置の内部の接地導体板９等と電磁的に結合することを抑えて、静電容量型近接センサ６のセンシングが外部へ向かうようにすることができる。また、静電容量型近接センサ６と導体層１０との間に容量成分が生じているため、静電容量型近接センサ６が外部からの電磁的な干渉（ＥＭＩ）を受けにくくなる。
【００２８】
導体層１０は、クロム（Ｃｒ），ニッケル（Ｎｉ），鉄（Ｆｅ），金（Ａｕ），銀（Ａｇ），銅（Ｃｕ），白金（Ｐｔ），アルミニウム（Ａｌ）等の金属、これらの金属の２種以上を含む合金等から成る。耐腐食性、耐傷性等の点でクロム（Ｃｒ），ニッケル（Ｎｉ），金（Ａｕ），白金（Ｐｔ）が好ましい。導体層１０の厚みは０．０１μｍ〜０．１μｍ程度である。導体層１０は、メッキ法、蒸着法、ＣＶＤ法、スパッタリング法等の薄膜形成法、または銀等の金属粒子を含む金属ペーストを塗布、乾燥、焼成する塗布・焼成法によって形成することができる。
【００２９】
導体層１０が形成される、フレーム３の外側表面の部位は特に限定するものではないが、フレーム３の外側表面における静電容量型近接センサ６に近接した部位であり、導体層１０と静電容量型近接センサ６とが良好に容量結合するためには、それらの間の距離が２ｍｍ以下であることが好ましい。
【００３０】
また本発明の液晶表示装置は、導体層１０は、接地導体板９と電気的に非接続とされていることが好ましい。この場合、静電容量型近接センサ６の電界成分が導体層１０及び接地導体板９を通じて外部の接地部に電流として流れ出ていくことが良好に抑えられるので、静電容量型近接センサ６のセンシングの感度が高く維持される。なお、導体層１０と接地導体板９と電気的に非接続とされているとは、それらが接触していたり、配線導体等よって電気的に接続されていない状態である。
【００３１】
図１、図２に示す本発明の液晶表示装置及び図４に示す従来の液晶表示装置について、静電容量型近接センサ６，２６のセンシングの感度を測定した。本発明の液晶表示装置における静電容量型近接センサ６として、銅線を樹脂絶縁材料で被覆して成る導体線から成るものを用い、その線径は０．５ｍｍとした。従来の液晶表示装置における静電容量型近接センサ２６として、スパッタリング法によって形成したものを用い、その厚みは１００ｎｍ程度とした。静電容量型近接センサ６，２６に入力されるパルス電圧のピーク値は１Ｖ、パルス幅は１μｓ（ｓ：秒）、入力周波数は１ＭＨｚである。この条件において、本発明の液晶表示装置のセンシングの感度は、人の指が静電容量型近接センサ６に１００ｍｍ近づいた位置で指を検出した。一方、従来の液晶表示装置は、上記と同様の条件で、静電容量型近接センサ２６に２０ｍｍ近づいた位置で指を検出した。
【００３２】
本発明の液晶表示パネル１は、例えば以下のような構成である。薄膜トランジスタ（Thin  Film  Transistor）素子を含む画素電極部が多数形成されたＴＦＴアレイ側基板と、カラーフィルタ及びブラックマトリクスが形成されたカラーフィルタ側基板とを互いに対向させて、それらの基板を所定の間隔でもって貼り合わせ、それらの基板間に液晶を充填、封入させることによって作製される。また、一般的に、カラーフィルタ側基板は、ＴＦＴ素子及び画素電極に対向する側の主面の全面に、画素電極との間で液晶に印加する垂直電界を形成するための共通電極（基準電極）が形成されている。さらに、カラーフィルタ側基板の前記主面には、それぞれの画素に対応する赤（Ｒ）、緑（Ｇ）、青（Ｂ）のカラーフィルタが形成されており、それぞれの画素を通過する光が相互に干渉することを防ぐブラックマトリクスがカラーフィルタの外周を囲むように形成されている。
【００３３】
この液晶表示パネル１としては、ＴＮ（Twisted  Nematic）型、ＩＰＳ（In-Plane  Switching）型、ＦＦＳ（Fringe  Field  Switching）型等の種々のタイプのものが採用できる。
【００３４】
このような液晶表示装置は、視認者側と反対側に、液晶表示パネル１に画像を形成するための透過光を、液晶表示パネル１の裏面側から入射するバックライト４が設けられている。このバックライト４には２つの方式がある。１つの方式は、発光素子としてのＬＥＤ（Light  Emitting  Diode）素子が液晶表示パネル１の画面の端に配置されているエッジライト方式である。このエッジライト方式においては、液晶表示パネル１の画面の端に配置されたＬＥＤ素子からの光を導光板によって画面全体に導いて均一に分散させる。エッジライト方式は、最大６０インチ程度までの画面において良好な光学的均一性を保持することができ、５〜１０ｍｍ程度の厚さのバックライト４が実現できる。
【００３５】
もう１つの方式は、直下型方式であり、液晶の画素の直下に多数のＬＥＤ素子を配置して、ＬＥＤ素子からの光を画素に直接入射させる方式である。この直下型方式は、それが適用される液晶表示パネル１の画面サイズに制限はなく、低消費電力、良好な熱放散性を有している。また、直下型方式は、エッジライト方式に比べてバックライト装置が厚くなる傾向があるが、１０ｍｍ程度以下の厚さに抑えることもできる。なお、ＬＥＤ素子の発光の駆動方法としては、一般にＰＷＭ（Pulse  Width  Modulation）方式によってパルス電流をＬＥＤ素子に入力する駆動方法が用いられる。
【００３６】
本発明の液晶表示装置の静電容量型近接センサ６は、例えば以下のように動作する。まず、静電容量型近接センサに人の指等の外部の導電体が近接すると、静電容量型近接センサ６と外部の導電体との間に電気的な容量結合が発生する。このとき、静電容量型近接センサ６に新たな電気的な容量が付加されるために、静電容量型近接センサ６を通じて静電容量型近接センサ６に接続された回路基板（図示せず）の制御ＩＣ，ＬＳＩ等へ、静電容量型近接センサ６から反射してくる電流値（電荷量）が変化する。その変化した電流値を電圧値の変化として制御ＩＣ，ＬＳＩ等によって検知することによって、外部の導電体の近接を検知することができる。
【００３７】
本発明の液晶表示装置において、バックライト４の保護基板５側の主面上に接地導体板９が設けられているが、接地導体板９は、アルミニウム等の金属、ステンレススチール等の合金から成る。あるいは金属板，金属シート，金属フィルム等を主面に貼り付けて構成された金属面を有するプラスチック板等の絶縁板から成る。また、接地導体板９に代えて、銀粒子等の金属粒子を含む金属ペーストを塗布・焼成して成る金属層、アルミニウム等の金属をメッキ法等によって形成して成る金属層を、接地導体層として用いることができる。
【００３８】
本発明の液晶表示装置は、上述した静電容量型近接センサ６によって、人の指等が液晶表示パネル１に近接したときに画面表示を起動させたり、静止画表示を動画表示に切り替えることができる。また、表示画面の明るさを明るくすることもできる。また、液晶表示装置にタッチパネルが備えられている場合、タッチパネルを操作休止状態から操作可能状態にすることもできる。
【００３９】
液晶表示装置にタッチパネルが備えられている場合、タッチパネルとしては、マトリクススイッチ方式、抵抗膜方式、表面弾性波方式（超音波方式）、赤外線方式、電磁誘導方式、表面型静電容量方式、投影型静電容量方式等の各種方式のものを採用できる。そのうち、表面型静電容量方式は、１０インチ型以上のタッチパネルに好適に使用される。表面型静電容量方式のタッチパネルにおける静電容量検出部は、例えば、透明被覆層、透明導電膜、ガラス基板の３層から成り、透明導電膜はガラス基板の４つの偶部に設けられた電極に接続される。透明導電膜によってガラス基板上の透明被覆層の表面に均一な電界が形成される。人の指等の静電的な導電体が静電容量検出部の表面に触れると、駆動回路からの微弱な電流が４つの隅部の電極、透明導電膜、透明被覆層及び指等を経由して、大地等の周辺環境と駆動回路との間で等価回路的に閉回路を形成する。駆動回路によって、４つの隅部の電極における電流の比率を算出することにより、指等の位置を判別できる。表面型静電容量方式のタッチパネルは、構成が簡易なため低コストに製作でき、大型のタッチパネルに好適に用いられる。
【００４０】
投影型静電容量方式のタッチパネルは、指等による接触部の多点検出が可能である。例えば、投影型静電容量方式のタッチパネルにおける静電容量検出部は、透明絶縁体層、その下の透明電極層を有し、制御ＩＣ、制御ＬＳＩ等の駆動回路を搭載したガラス基板等の基板を含んで成る。透明電極層は、所定の方向に伸びるように形成された、ＩＴＯ等から成るモザイク状の第１の検出電極パターンを有する第１の層と、その第１の層の下方に所定の方向と直交する方向に伸びるように形成された、ＩＴＯ等から成るモザイク状の第２の検出電極パターンを有する第２の層と、を含む。人の指等の静電的な導電体が静電容量検出部の表面に触れると、その付近の第１及び第２の検出電極パターンにおける１ｐＦ程度の静電容量の変化を検出することによって、接触部の位置を２次元的に高精度に検出できる。第１及び第２の検出電極パターンに接続される電極端子の数が多いために、製造コストが高くなる。また、ＩＴＯ等から成る第１及び第２の検出電極パターンは、長くなると電気的な抵抗が高くなるため、金属配線に接続することによって抵抗を小さくし、大型化に対応できる。この投影型静電容量方式のタッチパネルは、接触部の位置検出を行う制御ＩＣ、制御ＬＳＩ等によって多点検出が可能であり、実用性が高いので、タブレット型携帯端末等に好適に用いることができる。
【００４１】
また、投影型静電容量方式のタッチパネルは、第1及び第２の検出電極パターンにおける静電容量の変化を検出するので、人の指等の静電的な導電体が静電容量検出部の表面に直接触れずに近接した場合であっても、近接部の位置を２次元的に高精度に検出できる。
【００４２】
本発明の液晶表示装置は、上記実施の形態に限定されるものではなく、適宜の設計的な変更、改良を含むことはいうまでもない。例えば、上記実施の形態の例においては、略四角形状の液晶表示装置に含まれる略四角形状のフレーム等の周縁部に、全体形状が略四角形状の静電容量型近接センサを設ける例を示したが、液晶表示装置の形状によっては、本発明の効果を損なわない程度に途中に曲線部、屈曲部等を有する静電容量型近接センサを設けてもよい。また、給電部は複数あってもよく、例えば略多角形状のフレーム等の周縁部であって各辺の中央部に給電部を設けてもよい。
【産業上の利用可能性】
【００４３】
上記実施の形態の例においては液晶表示装置について説明したが、その他の表示装置に本発明の静電容量型近接センサを適用してもよい。例えば、有機ＥＬ（Electro  Luminescence）表示装置、無機ＥＬ表示装置、ＦＥＤ（Field  Emitting  Display）表示装置、ＳＥＤ（Surface-conduction  Electron-emitter  Display）表示装置、ＧＬＶ（Grating  Light  Valve）表示装置、ＰＤＰ（Plasma  Display）表示装置、電子ペーパーディスプレイ装置、ＤＭＤ（Digital  micro  Mirror  Device）表示装置、圧電セラミックディスプレイ装置などの表示装置を用いることができる。
【００４４】
本発明の液晶表示装置は各種の電子機器に適用できる。その電子機器としては、デジタル表示式腕時計、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機などがある。
【符号の説明】
【００４５】
１  液晶表示パネル
２  透明部材
３  フレーム
４  バックライト
５  保護部材
６  静電容量型近接センサ
６ａ  給電部
８  枠体
９  接地導体板
【図１】
2015138125.tif 000003
【図２】
2015138125.tif 000004
【図３】
2015138125.tif 000005
【図４】
2015138125.tif 000006
【図５】
2015138125.tif 000007
【図６】
2015138125.tif 000008